(57)【要約】【課題】セルの劣化を抑制可能な技術を提供する。【解決手段】燃料電池システムは、複数のセルを有する燃料電池スタックと、燃料電池スタックにおけるセル当りの電圧と燃料電池スタックの電流値とを監視する監視部と、監視部がセル当りの電圧が予め定められた電流制限電圧以下に低下したことを検知した場合に、燃料電池スタックの出力を制限する制御部と、を備え、制御部は、セル当りの電圧が電流制限電圧以下に低下した際の電流値が低い場合に、電流値が高い場合よりも、燃料電池スタックの出力の制限における電流制限係数を小さく設定する。【選択図】図２
2019021552.tif 000002
【特許請求の範囲】
【請求項１】
燃料電池システムであって、
複数のセルを有する燃料電池スタックと、
前記燃料電池スタックにおけるセル当りの電圧と前記燃料電池スタックの電流値とを監視する監視部と、
前記監視部が前記セル当りの電圧が予め定められた電流制限電圧以下に低下したことを検知した場合に、前記燃料電池スタックの出力を制限する制御部と、を備え、
前記制御部は、前記セル当りの電圧が前記電流制限電圧以下に低下した際の前記電流値が低い場合に、前記電流値が高い場合よりも、前記燃料電池スタックの出力の制限における電流制限係数を小さく設定する、燃料電池システム。
【発明の詳細な説明】
【技術分野】
【０００１】
本発明は、燃料電池システムに関する。
【背景技術】
【０００２】
セルを複数積層した燃料電池スタックを有する燃料電池システムにおいて、水素ガスの供給が欠乏した状態（水素欠乏状態）のセルで発電を繰り返すと、触媒劣化によりそのセルの性能が劣化する可能性があることが知られている。水素欠乏状態となったセルの電圧は、０Ｖ未満の負電圧となる。そのため、例えば特許文献１に記載された燃料電池システムでは、負電圧のセルを検出すると燃料電池スタックの電流制限（「出力制限」ともいう）を行っている。なお、電流制限とは、燃料電池スタックによる出力電流が制限電流値（「上限値」ともいう）を超えないように制限することである。
【先行技術文献】
【特許文献】
【０００３】
【特許文献１】特開２０１６−０９５９０７号公報
【発明の概要】
【発明が解決しようとする課題】
【０００４】
燃料電池の発電量が低い時は、セル内の水素の流量が少ないため水詰まりが発生しやすく、セルの電圧の低下速度が増加する場合がある。この場合、従来の電流制限ではセル当りの電圧の回復に間に合わず、セルが劣化するおそれがある。そのため、セルの劣化を抑制可能な技術が望まれていた。
【課題を解決するための手段】
【０００５】
本発明は、上述の課題を解決するためになされたものであり、以下の形態として実現することが可能である。
【０００６】
本発明の一形態によれば、燃料電池システムが提供される。この燃料電池システムは、複数のセルを有する燃料電池スタックと；前記燃料電池スタックにおけるセル当りの電圧と前記燃料電池スタックの電流値とを監視する監視部と；前記監視部が前記セル当りの電圧が予め定められた電流制限電圧以下に低下したことを検知した場合に、前記燃料電池スタックの出力を制限する制御部と、を備え；前記制御部は、前記セル当りの電圧が前記電流制限電圧以下に低下した際の前記電流値が低い場合に、前記電流値が高い場合よりも、前記燃料電池スタックの出力の制限における電流制限係数を小さく設定する。この形態の燃料電池システムによれば、制御部は、電流値に応じて電流制限係数を設定して電流制限を行うので、電流値が低い場合にはセルの電圧が大きく低下することを抑制できる。また、電流値が高い場合には、緩やかに電流制限を行うことができる。そのため、過度に電流制限を行うことなくセルの劣化を抑制できる。
【０００７】
なお、本発明は、種々の形態で実現することが可能であり、例えば、燃料電池システムを備える発電装置、燃料電池システムを備える車両、燃料電池システムの制御方法等の態様で実現することが可能である。
【図面の簡単な説明】
【０００８】
【図１】燃料電池システムの概略構成を示す概略図である。
【図２】電流制限処理の概要を表わすフローチャートである。
【図３】高電流時の電流制限係数とセル当りの電圧との関係を示したグラフである。
【図４】低電流時の電流制限係数とセル当りの電圧との関係を示したグラフである。
【図５】電流制限処理におけるセル当りの電圧の変化を示したグラフである。
【図６】電流制限処理におけるセル当りの電圧の変化を示した参考図である。
【発明を実施するための形態】
【０００９】
Ａ．第１実施形態：
図１は、本発明の一実施形態における燃料電池システム１００の概略構成を示す概略図である。燃料電池システム１００は、燃料電池スタック１０と、制御部２０と、カソードガス供給排出系３０と、アノードガス供給排出系５０と、を備える。また、燃料電池システム１００は、ＤＣ／ＤＣコンバータ９０と、パワーコントロールユニット（以下、「ＰＣＵ」という）９１と、２次電池９２と、負荷９３と、監視部９４と、を備える。本実施形態の燃料電池システム１００は、例えば、燃料電池車両に搭載される。
【００１０】
燃料電池スタック１０は、反応ガスとして水素ガス（アノードガス）と空気（カソードガス）との供給を受けて発電する固体高分子形燃料電池である。燃料電池スタック１０は、複数のセル１１が積層されて構成されている。各セル１１は、電解質膜（図示せず）の両面に電極を配置した膜電極接合体（図示せず）と、膜電極接合体を挟持する１組のセパレータとを有する。燃料電池スタック１０によって発電された電力は、ＤＣ／ＤＣコンバータ９０とＰＣＵ９１とを介して２次電池９２に蓄電される。
【００１１】
ＤＣ／ＤＣコンバータ９０は、制御部２０の制御に応じて燃料電池スタック１０から出力された電圧を昇圧してＰＣＵ９１に供給する。ＰＣＵ９１は、インバータを内蔵し、制御部２０の制御に応じてインバータを介して負荷９３に電力を供給する。また、ＰＣＵ９１は、後述する制御部２０の制御により燃料電池スタック１０の電流を制限する。
【００１２】
２次電池９２は、ＰＣＵ９１に接続されている。ＰＣＵ９１は、２次電池９２に接続された双方向ＤＣ／ＤＣコンバータ（図示せず）を含んでいる。燃料電池スタック１０および２次電池９２の電力は、ＰＣＵ９１を含む電源回路を介して、車輪（図示せず）を駆動するためのトラクションモータ（図示せず）等の負荷９３や、後述するエアコンプレッサ３２、水素ポンプ６４、各種弁に、供給される。
【００１３】
カソードガス供給排出系３０は、カソードガス配管３１と、エアコンプレッサ３２と、第１開閉弁３３と、カソードオフガス配管４１と、第１レギュレータ４２と、を備える。
【００１４】
エアコンプレッサ３２は、カソードガス配管３１を介して燃料電池スタック１０と接続されている。エアコンプレッサ３２は、制御部２０からの制御信号に応じて、外部から取り入れた空気を圧縮し、カソードガスとして燃料電池スタック１０に供給する。第１開閉弁３３は、エアコンプレッサ３２と燃料電池スタック１０との間に設けられている。
【００１５】
カソードオフガス配管４１は、燃料電池スタック１０から排出されたカソードオフガスを燃料電池システム１００の外部へと排出する。第１レギュレータ４２は、制御部２０からの制御信号に応じて、燃料電池スタック１０のカソードガス出口圧力を調整する。
【００１６】
アノードガス供給排出系５０は、燃料ガス配管５１と、水素タンク５２と、第２開閉弁５３と、第２レギュレータ５４と、インジェクタ５５と、排気排水弁６０と、アノードオフガス配管６１と、循環配管６３と、水素ポンプ６４と、気液分離器７０と、を備える。以下では、燃料ガス配管５１のインジェクタ５５よりも下流側と、燃料電池スタック１０内のアノードガスの流路と、アノードオフガス配管６１と、循環配管６３と、気液分離器７０と、で構成される流路のことを、循環流路６５ともいう。循環流路６５は、燃料電池スタック１０のアノードオフガスを燃料電池スタック１０に循環させるための流路である。
【００１７】
水素タンク５２は、燃料ガス配管５１を介して燃料電池スタック１０のアノードガス入口と接続されており、内部に充填されている水素を燃料電池スタック１０に供給する。第２開閉弁５３、第２レギュレータ５４、インジェクタ５５は、燃料ガス配管５１に、この順序で上流側、つまり水素タンク５２に近い側、から設けられている。
【００１８】
第２開閉弁５３は、制御部２０からの制御信号に応じて開閉する。燃料電池システム１００の停止時には第２開閉弁５３は閉じられる。第２レギュレータ５４は、制御部２０からの制御信号に応じて、インジェクタ５５の上流側における水素の圧力を調整する。インジェクタ５５は、制御部２０によって設定された駆動周期や開弁時間に応じて、弁体が電磁的に駆動する電磁駆動式の開閉弁である。制御部２０は、インジェクタ５５の駆動周期や開弁時間を制御することによって、燃料電池スタック１０に供給される水素の量を制御する。
【００１９】
アノードオフガス配管６１は、燃料電池スタック１０のアノードガス出口と気液分離器７０とを接続する配管である。アノードオフガス配管６１は、発電反応に用いられることのなかった水素ガスや窒素ガスなどを含むアノードオフガスを気液分離器７０へと誘導する。
【００２０】
気液分離器７０は、循環流路６５のアノードオフガス配管６１と循環配管６３との間に接続されている。気液分離器７０は、循環流路６５内のアノードオフガスから不純物としての水を分離して貯水する。
【００２１】
循環配管６３は、燃料ガス配管５１のインジェクタ５５より下流に接続されている。循環配管６３には、制御部２０からの制御信号に応じて駆動される水素ポンプ６４が設けられている。気液分離器７０によって水が分離されたアノードオフガスが、水素ポンプ６４によって、燃料ガス配管５１へと送り出される。この燃料電池システム１００では、水素を含むアノードオフガスを循環させて、再び燃料電池スタック１０に供給することにより、水素の利用効率を向上させている。
【００２２】
排気排水弁６０は、気液分離器７０の下部に設けられている。排気排水弁６０は、気液分離器７０に貯水された水の排水と、気液分離器７０内の不要なガス（主に窒素ガス）の排気と、を行う。燃料電池システム１００の運転中は、通常、排気排水弁６０は閉じられており、制御部２０からの制御信号に応じて開閉する。本実施形態では、排気排水弁６０は、カソードオフガス配管４１に接続されており、排気排水弁６０によって排出された水および不要なガスは、カソードオフガス配管４１を通じて外部へ排出される。
【００２３】
制御部２０は、ＣＰＵとメモリと、上述した各部品が接続されるインタフェース回路とを備えたコンピュータとして構成されている。ＣＰＵは、メモリに記憶された制御プログラムを実行することにより、燃料電池システム１００による発電の制御を行うと共に、後述する電流制限処理を実現する。制御部２０には、監視部９４が接続されている。
【００２４】
監視部９４は、セル当りの電圧を監視する。より具体的には、監視部９４は、燃料電池スタック１０の各セル１１をｎ枚１組（ｎは１以上の整数）としたセルグループと接続されており、各セルグループについてのセル１１の電圧の合計値を計測するようにしてもよい。監視部９４は、その計測結果からセル当りの電圧を求めて制御部２０に送信する。なお、監視部９４は、求めたセル当りの電圧のうち、最も低いセル当りの電圧のみを制御部２０に送信するものとしてもよい。セル当りの電圧Ｖｃは、次の式（１）で求めることができる。
【００２５】
Ｖｃ ＝ Ｖｎ − Ｖａｖｅ × （ｎ−１） …（１）
ここで、Ｖｎは監視部９４が計測したセルグループの電圧、Ｖａｖｅはセルの平均電圧である。セル平均電圧Ｖａｖｅは、燃料電池スタック１０の両端電圧をセル１１の総数で除算した値である。
【００２６】
また、監視部９４は、燃料電池スタック１０の電流値を監視する機能を有する。
【００２７】
図２は、本実施形態における、燃料電池スタック１０の出力を制限するための電流制限処理の概要を表わすフローチャートである。この処理は燃料電池システム１００の動作中、制御部２０により繰り返し実行される処理である。制御部２０は、この処理を開始すると、ステップＳ１００で、監視部９４により燃料電池スタック１０におけるセル当りの電圧の最低値Ｖｃを取得する。
【００２８】
次に、制御部２０は、ステップＳ１１０で、セル当りの電圧Ｖｃが、電流制限電圧Ｖ１以下に低下したか否か判定する。電流制限電圧Ｖ１とは、セル１１が水素欠乏状態か否かを判定するための閾値であり、予め実験的に定めることができる。電流制限電圧Ｖ１は、０Ｖ未満とすることが好ましく、−０．２Ｖ以上−０．１Ｖ以下の値とすることが更に好ましい。セル当りの電圧Ｖｃが電流制限電圧Ｖ１以下に低下した場合、制御部２０は、ステップＳ１２０に進み、監視部９４により燃料電池スタック１０の電流値Ｉｆｃを取得する。一方、セル当りの電圧Ｖｃが電流制限電圧Ｖ１より大きい場合、制御部２０はステップＳ１００の処理に戻る。
【００２９】
次に、制御部２０は、ステップＳ１３０で、電流値Ｉｆｃに応じて、電流制限に用いる電流制限係数を設定する。続いて、制御部２０は、ステップＳ１４０で、燃料電池スタック１０の電流制限を行う。電流制限の詳細については後述する。
【００３０】
ステップＳ１４０において電流制限を１回行った後、制御部２０は、ステップＳ１５０で、監視部９４より燃料電池スタック１０におけるセル当りの電圧Ｖｃを再度取得し、ステップＳ１６０で、電流制限の終了条件が成立したか否か判定する。終了条件としては種々の条件を採用可能であり、例えば、セル当りの電圧Ｖｃが、電流制限電圧Ｖ１まで上昇したこと、と定めることができる。セル当りの電圧Ｖｃが電流制限電圧Ｖ１より低い場合、制御部２０は、処理をステップＳ１４０に戻して、終了条件が成立するまで、上述したステップＳ１４０、Ｓ１５０の処理を繰り返す。つまり、セル当りの電圧Ｖｃが電流制限電圧Ｖ１を超える値に回復するまで電流制限を行う。電流制限の終了条件は、燃料電池スタック１０により出力される電流が予め定めた電流値まで上昇したこと、と定めることもできる。
【００３１】
終了条件が成立した場合、制御部２０は、ステップＳ１７０で、セル当りの電圧Ｖｃが低下する際の閾値電圧における電圧低下速度を算出する。閾値電圧とは、予め実験的に定められた電圧であり、任意に定めることができるが、電流制限電圧Ｖ１以上の値に設定することが好ましい。具体的には、閾値電圧は−０．１Ｖ以上０．１Ｖ以下の値とすることが好ましく、−０．１Ｖ以上０Ｖ以下の値とすることが更に好ましい。
電圧低下速度は、次回の電流制限処理における電流制限で用いる電流制限係数を決定する際に使用される。ここで「次回」の電流制限とは、制御部２０が、ステップＳ１７０の処理を終えた以降にステップＳ１１０の判定が再度肯定されてステップＳ１４０で実行される電流制限を意味する。
【００３２】
制御部２０は、電流制限において次の式（２）で示すように、制御周期ごとに燃料電池スタック１０により出力される電流の上限値である制限電流値Ｉｃａｐ（ｊ）を定めている。なお、本実施形態において、制御周期とは、ステップＳ１４０〜ステップＳ１６０の処理を繰り返す周期のことである。
【００３３】
Ｉｃａｐ（ｊ） ＝ Ｉｃａｐ（ｊ−１） × Ｒｃａｐ（ｊ） …（２）
ここでＩｃａｐ（ｊ）は今回の制限電流値、Ｉｃａｐ（ｊ−１）は前回の制限電流値、Ｒｃａｐ（ｊ）は今回の電流制限係数である。電流制限係数Ｒｃａｐ（ｊ）が低いほど、制限電流値Ｉｃａｐ（ｊ）も低くなり、電流制限が厳しくなる。電流制限係数Ｒｃａｐ（ｊ）は、直前にステップＳ１５０で取得したセル当りの電圧Ｖｃに応じて、電流制限係数Ｒｃａｐ（ｊ）とセル当りの電圧Ｖｃとの関係が定義されたマップや関数に基づき、定めることができる。１回目の電流制限における初期値Ｉｃａｐ（０）は、例えば、電流制限の開始直前における燃料電池スタック１０の電流値Ｉｆｃを使用可能である。
【００３４】
図３及び図４は、電流制限係数Ｒｃａｐとセル当りの電圧Ｖｃとの関係を示したグラフである。図３は、セル当りの電圧Ｖｃが電流制限電圧Ｖ１以下に低下した際の燃料電池スタック１０の電流値Ｉｆｃが予め定めた電流値Ｉ１以上の場合（以下、「高電流時」という）の電流制限係数Ｒｃａｐとセル当りの電圧Ｖｃとの関係を示したグラフであり、図４は、セル当りの電圧Ｖｃが電流制限電圧Ｖ１以下に低下した際の燃料電池スタック１０の電流値Ｉｆｃが電流値Ｉ１より小さい場合（以下、「低電流時」という）の電流制限係数Ｒｃａｐとセル当りの電圧Ｖｃとの関係を示したグラフである。なお、電流値Ｉ１は、その値以上の時にセル１１の水詰まりによる水素欠発生の頻度が増加する電流値として、予め実験的に定めることができる。
【００３５】
図３及び図４のグラフの縦軸は電流制限係数Ｒｃａｐを示し、横軸はセル当りの電圧Ｖｃを示している。電流制限係数Ｒｃａｐは、セル当りの電圧Ｖｃの値が電流制限電圧Ｖ１以下は１（＝１００％）以下であり、電圧Ｖｃが下がるほど低下する。電流制限係数Ｒｃａｐは、電圧Ｖｃが電圧Ｖ２以下では０である。また、電流制限係数Ｒｃａｐは、電圧Ｖｃが電流制限電圧Ｖ１を超えると１より大きな値（例えば１．１〜１．３）となる。図３及び図４において、電流制限係数Ｒｃａｐは、セル当りの電圧Ｖｃが低下する際の電圧低下速度が大きいほど低く設定される。
【００３６】
なお、電圧Ｖ２は、セル１１の性能が劣化する電圧値として、予め実験的に定めることができ、例えば、−０．４Ｖ以上−０．３Ｖ以下の値である。低電流時における電圧Ｖ２と高電流時における電圧Ｖ２とは同じ値で無くてもよい。その場合、低電流時における電圧Ｖ２が高電流時における電圧Ｖ２よりも低いことが好ましい。
【００３７】
図３のグラフＧ１ａ〜Ｇ１ｄと、図４のグラフＧ２ａ〜Ｇ２ｄとは、それぞれ同じ電圧低下速度における電流制限係数Ｒｃａｐとセル当りの電圧Ｖｃとの関係を示したグラフである。グラフＧ１ａとグラフＧ２ａとを比較すると、グラフＧ２ａの方がグラフＧ１ａより電流制限係数Ｒｃａｐが小さくなっている。これらの関係は、グラフＧ１ｂ〜Ｇ１ｄとグラフＧ２ｂ〜Ｇ２ｄとの間においても同様である。このように、セル当りの電圧Ｖｃが電流制限電圧Ｖ１以下に低下した際の燃料電池スタック１０の電流値Ｉｆｃが低い場合には、高い場合よりも電流制限係数Ｒｃａｐが小さく設定される。なお、図３のグラフＧ１ａ〜Ｇ１ｄと図４のグラフＧ２ｂ〜Ｇ２ｄで与えられる電流制限係数Ｒｃａｐは、電流制限電圧Ｖ１では互いに等しくなっていてもよい。
【００３８】
ステップＳ１３０において、制御部２０は、ステップＳ１２０で取得した電流値Ｉｆｃと前回のステップＳ１７０で算出された電圧低下速度とに応じて、電流制限係数Ｒｃａｐを定める。より具体的には、電流値Ｉｆｃが低い場合に、電流値Ｉｆｃが高い場合よりも、電流制限係数Ｒｃａｐを小さく設定する。また、電圧低下速度が小さいほど、電流制限係数Ｒｃａｐを高く設定し、電圧低下速度が大きいほど、電流制限係数Ｒｃａｐを低く設定する。なお、ステップＳ１３０で選択された電流制限係数Ｒｃａｐのグラフは、ステップＳ１６０で終了条件が成立するまで維持される。
【００３９】
図５及び図６は、電流制限処理におけるセル当りの電圧Ｖｃの変化を示したグラフである。図５は、本実施形態における電流制限処理のセル当りの電圧Ｖｃの変化を示しており、図６は、制御部２０が、低電流時も高電流時と同様の電流制限係数Ｒｃａｐのグラフを用いて、電流制限係数Ｒｃａｐを設定し、電流制限を行った場合のセル当りの電圧Ｖｃの変化を示した参考図である。縦軸は、電圧を示しており、横軸は時間を示している。高電流時の電圧Ｖｃの変化を実線で示しており、低電流時の電圧Ｖｃの変化を一点鎖線で示している。
【００４０】
燃料電池システム１００の稼働中にセル１１が水素欠乏状態となった場合、セル当りの電圧が徐々に低下する。セル当りの電圧が過度に低下して電圧Ｖ２を下回ると、セル１１の性能が劣化する原因となる。そのため、本実施形態では、上述したように、監視部９４がセル当りの電圧Ｖｃが、この電圧Ｖ２よりも高い電流制限電圧Ｖ１以下に低下したことを検知したタイミングにおいて、制御部２０が電流制限をすることによってセル当りの電圧Ｖｃが電圧Ｖ２に到達する事を抑制する。
【００４１】
低電流時には、高電流時に比べて、セル１１内の水素濃度が低くなり、水詰まりによる水素欠発生の頻度が大きい。そのため、高電流時の電圧低下速度を示す傾斜ＧＲ１と低電流時の電圧低下速度を示す傾斜ＧＲ２とを比較すると、傾斜ＧＲ２の方が傾斜ＧＲ１より大きい。従って、図６の参考図に示すように、高電流時と同様の電流制限係数Ｒｃａｐで電流制限を行った場合、セル当りの電圧Ｖｃが電圧Ｖ２に到達してしまう。一方、図５の実施形態では、低電流時に高電流時よりも電流制限係数Ｒｃａｐを小さく設定するので、セル当りの電圧Ｖｃが電圧Ｖ２に到達してしまうことを抑制できる。
【００４２】
以上で説明した本実施形態の燃料電池システム１００によれば、制御部２０は、電流値Ｉｆｃに応じて電流制限係数Ｒｃａｐを設定して電流制限を行う。より具体的には、制御部２０は、電流値Ｉｆｃが低いほど電流制限係数Ｒｃａｐを小さく設定するので、電流値Ｉｆｃが低い場合にはセル１１の電圧Ｖｃが大きく低下することを抑制できる。そのため、過度に電流制限を行うことなくセル１１の劣化を抑制できる。
【００４３】
Ｂ．他の実施形態：
上記実施形態において、制御部２０は、式（２）に示したように、直前の電流値Ｉｆｃに電流制限係数Ｒｃａｐを掛け合わせることで、電流制限における制限電流値Ｉｃａｐを定めている。この代わりに、次の式（３）で示すように、電流制限における制限電流値Ｉｃａｐを定めてもよい。
【００４４】
Ｉｃａｐ（ｊ） ＝ Ｉ０ × Ｒｃａｐ（ｊ） …（３）
ここでＩ０は予め定めた一定の電流値である。
【００４５】
また、上記実施形態において、制御部２０は、ステップＳ１４０において電流制限を行った後に、ステップＳ１７０において、電圧低下速度を算出している。この代わりに、制御部２０は、ステップＳ１１０とステップＳ１３０との間において、ステップＳ１７０を行ってもよい。より具体的には、制御部２０は、ステップＳ１１０で、セル当りの電圧Ｖｃが電流制限電圧Ｖ１以下に低下した場合、ステップＳ１３０に進む前に、セル１１の電圧Ｖｃが低下する際の閾値電圧における電圧低下速度を算出してもよい。この形態では、制御部２０は、直前の電圧低下速度に応じて電流制限係数Ｒｃａｐを設定して電流制限を行うので、セル当りの電圧Ｖｃが大きく低下することをより効果的に抑制できる。そのため、より効果的にセル１１の劣化を抑制できる。
【００４６】
また、上記実施形態において、制御部２０は、電圧低下速度に応じて電流制限係数Ｒｃａｐを定めて、いる。この代わりに、制御部２０は、ステップＳ１７０を省略してもよい。より具体的には、制御部２０は、電流値Ｉｆｃに応じてのみ、予め定めた電流制限係数Ｒｃａｐとセル当りの電圧Ｖｃとの関係が定義されたマップや関数を定めてもよい。
【００４７】
本発明は、上述の実施形態に限られるものではなく、その趣旨を逸脱しない範囲において種々の構成で実現することができる。例えば発明の概要の欄に記載した各形態中の技術的特徴に対応する実施形態中の技術的特徴は、上述した課題を解決するために、あるいは上述の効果の一部又は全部を達成するために、適宜、差し替えや組み合わせを行うことが可能である。また、その技術的特徴が本明細書中に必須なものとして説明されていなければ、適宜削除することが可能である。
【符号の説明】
【００４８】
１０…燃料電池スタック
１１…セル
２０…制御部
３０…カソードガス供給排出系
３１…カソードガス配管
３２…エアコンプレッサ
３３…第１開閉弁
４１…カソードオフガス配管
４２…第１レギュレータ
５０…アノードガス供給排出系
５１…燃料ガス配管
５２…水素タンク
５３…第２開閉弁
５４…第２レギュレータ
５５…インジェクタ
６０…排気排水弁
６１…アノードオフガス配管
６３…循環配管
６４…水素ポンプ
６５…循環流路
７０…気液分離器
９０…ＤＣ／ＤＣコンバータ
９１…パワーコントロールユニット（ＰＣＵ）
９２…２次電池
９３…負荷
９４…監視部
１００…燃料電池システム
【図１】
2019021552.tif 000003
【図２】
2019021552.tif 000004
【図３】
2019021552.tif 000005
【図４】
2019021552.tif 000006
【図５】
2019021552.tif 000007
【図６】
2019021552.tif 000008